(57)【要約】【課題】  反射波の影響を低減すると共に、エンクロジャーの空気層の容量を確保して、低域特性を改善するようにした椅子用スピーカ装置を提供する。【解決手段】  平面波スピーカユニット２１ａ及び２１ｂは、面音源の平面波を発生する。エンクロジャーは、円弧状の背面パネル１１を有し、背面パネル１１の内側には、支持材１２ａ〜１２ｄ、１２ｅ〜１２ｈが設けられる。平面波スピーカユニット２１ａ及び２１ｂを、支持材１２ａ〜１２ｄ、１２ｅ〜１２ｈにより固定することで、エンクロジャーの空気層を確保し、低域特性を改善する。背面パネル１１を円弧状とすることで、反射波を分散し、反射波による音の劣化を防ぐ。【選択図】        図２
0003115815.tif 000002
【実用新案登録請求の範囲】
【請求項１】
椅子のヘッドレストに取り付けるようにした椅子用スピーカ装置であって、
平面波を発生する平面波スピーカユニットと、
円弧状の背面パネルを有し、前記円弧状の背面パネルの内側に前記平面波スピーカユニットを固定するエンクロジャーと、
前記平面波スピーカユニットの前面に配置されたクッション材と
からなるようにしたことを特徴とする椅子用スピーカ装置。
【請求項２】
前記エンクロジャー内に吸音材を封入するようにしたことを特徴とする請求項１に記載の椅子用スピーカ装置。
【請求項３】
前記平面波スピーカユニットは、左右に配置された第１及び第２の平面波スピーカユニットからなり、前記第１及び第２の平面波スピーカユニットを所定の角度を付けて配置し、前記第１及び第２の平面波スピーカユニットの間に、遮蔽材を設けるようにしたことを特徴とする請求項１に記載の椅子用スピーカ装置。
【考案の詳細な説明】
【技術分野】
【０００１】
本考案は、椅子のヘッドレストに取り付けて使用する平面波スピーカユニットを用いた椅子用スピーカ装置に関する。
【背景技術】
【０００２】
従来のスピーカとしては、図６に示すように、コーン型のスピーカ１０１が用いられている。このようなコーン型のスピーカ１０１の場合には、球音源となり、球面波が発生される。このような球面波では、乱反射が生じ、音質を劣化させる。また、球音源の場合には、音圧エネルギーは、距離の二乗に反比例して減衰するため、音源から離れると、明瞭な音響が聞きずらくなる。
【０００３】
これに対して、近年、面音源の平面波を発生する平面波スピーカが注目されている。平面波スピーカ１０２では、図７に示すように、音源が面音源となり、平面波を発生する。平面波の場合には、直進性が良くなり、音源から離れていても、減衰しにくいという特徴を持つ。また、平面波では、直進性が良くなることから、狭指向性となり、乱反射が少なく、明瞭で高音質な音響が再生可能となる。
【０００４】
このように、面音源の平面波を発生する平面波スピーカは、基本的には、特許文献１に示されているように、平面上に複数の磁石を配置し、平面上の磁石の面に対して平行に、導体パターンを有する平面状の振動膜を配置して形成される。また、特許文献１には、振動膜を固定していないため、振動膜の周辺部での共振による異音の発生を抑圧することができるようにした平面波スピーカが開示されている。
【０００５】
このように、平面波スピーカは高音質で狭指向性を有することから、本願出願人は、平面波スピーカを椅子に取り付け、高齢者や聴覚障害を有する人達に対する聴覚の補助として用いることを検討している。
【０００６】
つまり、例えばテレビを視聴するような場合、耳の遠くなった高齢者や聴覚障害を有する人達は、テレビから一定の距離だけ離れて十分な音量を得るために、テレビの音量を大きくしがちである。ところが、家庭にいる通常の聴力の人達にとっては、高齢者や聴覚障害を有する人達が設定した音量では大きすぎて、うるさく感じられる。
【０００７】
椅子に平面波スピーカを取り付け、この椅子に座ってテレビを視聴するようにすれば、高齢者や聴覚障害を有する人でも、高音質な音を耳元で聞くことができる。さらに、大音量を出す必要がなくなり、家族等、周囲にいる人達にうるさく感じさせることがなくなる。
【特許文献１】特許第３１９２３７２号
【考案の開示】
【考案が解決しようとする課題】
【０００８】
平面波スピーカユニットは、振動膜が極めて薄く、軽量に作られている。このため、エンクロジャーに納めないで使用すると、干渉が発生し、歪みも発生し易い。そこで、平面波スピーカを使って椅子用スピーカ装置を形成する場合に、平面波スピーカユニットをエンクロジャーに収納して使用することが望まれる。
【０００９】
しかしながら、平面波スピーカユニットをエンクロジャーに収納して使用する場合、平面波スピーカの背面から発生した音のエンクロジャーの壁面での反射波の影響が問題になる。
【００１０】
つまり、図８に示すように、バッフル板１１２に平面波スピーカユニット１１１を取り付け、平面波スピーカユニット１１１をエンクロジャー１１３内に収納したとする。この場合、平面波スピーカユニット１１１を駆動すると、その前面方向から音波Ｗ１０１が発生されると共に、その背面から音波Ｗ１０２が発生される。このとき、平面波スピーカユニット１１１の前面からの音波Ｗ１０１と背面からの音波Ｗ１０２とで逆相となる。
【００１１】
平面波スピーカユニット１１１の背面から発生した音波Ｗ１０２は、エンクロジャー１１３内の壁面に反射して、反射波Ｗ１０２ａとして、再び同相で平面波スピーカユニット１１１に戻ってくる。この反射波Ｗ１０２ａは、平面波スピーカユニット１１１の振動膜を振動させる。したがって、平面波スピーカユニット１１１の前面からの音波Ｗ１０１には、反射波Ｗ１０２ａが合成され、音質を劣化させる。
【００１２】
平面波スピーカは、コーン型スピーカに比べて、振動膜が極めて薄く、軽量に作られている。このため、背面からの反射波の影響が大きい。特に、椅子に取り付ける椅子用スピーカ装置では、エンクロジャーが小型になり、反射波の影響が特に大きくなる。
【００１３】
また、椅子用スピーカ装置では、エンクロジャーに十分な容量の空気層を確保することが難しい。エンクロジャーの空気層の容量が小さいと、低域特性が劣化するという問題が生じる。
【００１４】
従来のスピーカ装置では、図８に示したように、バッフル板１１２に平面波スピーカユニット１１１を取り付け、このバッフル板１１２をエンクロジャー１１３に取り付けるようにしている。このような構造のエンクロジャーでは、空気層の容量確保に無駄がある。
【００１５】
本考案は、上述の課題を鑑み、反射波の影響を低減すると共に、エンクロジャーの空気層の容量を確保して、低域特性を改善するようにしたことを特徴とする椅子用スピーカ装置を提供することを目的とする。
【課題を解決するための手段】
【００１６】
上述の課題を解決するために、本考案に係る椅子用スピーカ装置は、椅子のヘッドレストに取り付けるようにした椅子用スピーカ装置であって、平面波を発生する平面波スピーカユニットと、円弧状の背面パネルを有し、円弧状の背面パネルの内側に平面波スピーカユニットを固定するエンクロジャーと、平面波スピーカユニットの前面に配置されたクッション材とからなるようにしたことを特徴とする。
【００１７】
好ましくは、エンクロジャー内に吸音材を封入するようにしたことを特徴とする。
【００１８】
好ましくは、平面波スピーカユニットは、左右に配置された第１及び第２の平面波スピーカユニットからなり、第１及び第２の平面波スピーカユニットを所定の角度を付けて配置し、第１及び第２の平面波スピーカユニットの間に、遮蔽材を設けるようにしたことを特徴とする。
【考案の効果】
【００１９】
本考案によれば、椅子のヘッドレストに取り付けるようにした椅子用スピーカ装置であって、面音源の平面波を発生する平面波スピーカユニットと、円弧状の背面パネルを有し、円弧状の背面パネルの内側に平面波スピーカユニットを固定するエンクロジャーと、平面波スピーカユニットの前面に配置されたクッション材とからなるようにしている。本考案では、背面パネルが円弧状となっているので、反射波が分散され、反射波による音の劣化を防ぐことができる。本考案では、バッフル板を用いずに、平面波スピーカユニットを背面パネルの内側に設けられた支持材により取り付けているので、平面波スピーカユニットの側面に容量が確保でき、低域特性の改善が図れる。
【００２０】
本考案によれば、エンクロジャー内に吸音材を封入するようにしているので、エンクロジャー内の反射波の影響を除去できる。
【００２１】
本考案によれば、平面波スピーカユニットを、左右に配置された第１及び第２の平面波スピーカユニットからなり、前記第１及び第２の平面波スピーカユニットを所定の角度を付けて配置し、第１及び第２の平面波スピーカユニットの間に、遮蔽材を設けるようにしているので、自然なステレオ音が楽しめる。なお、前記第１及び第２の平面波スピーカユニットは椅子に座った人の耳の方向を向くように所定の角度を付けて配置することによって、第１及び第２の平面波スピーカユニットからの音は、椅子に座った人の耳の方に対して方向性を有する。このために、平面波スピーカユニットからの音は主に椅子に座った人に聞こえ、外部に音が漏れるのを防ぐことができる。
【考案を実施するための最良の形態】
【００２２】
以下、本考案の実施の形態について図面を参照しながら説明する。図１（Ａ）及び図１（Ｂ）は、本考案の実施の形態の椅子用スピーカ装置１の全体構成を示す平面図及び正面図であり、図２はその分解斜視図を示すものである。
【００２３】
図１（Ａ）及び図１（Ｂ）、並びに図２において、エンクロジャー１０は、円弧状に湾曲された背面パネル１１を有している。背面パネル１１の内側からは、図２に示すように、支持体１２ａ〜１２ｄ及び１２ｆ〜１２ｈが植立される。背面パネル１１の中心には、遮蔽板１３が設けられる。背面パネル１１の外側の両端には、椅子取付部１４ａ及び１４ｂが設けられる。
【００２４】
平面波スピーカユニット２１ａ及び２１ｂは、平面上に複数の磁石を配置し、この平面上の磁石の面に対して平行に、導体パターンを有する平面状の振動膜を配置し、導体パターンに信号を供給して、振動膜を振動させることで、面音源の平面波を発生する。
【００２５】
図２に示すように、平面波スピーカユニット２１ａは、ビス１５ａ〜１５ｄにより、背面パネル１１から植立された支持体１２ａ〜１２ｄに取り付けられる。平面波スピーカユニット２１ｂは、ビス１５ｅ〜１５ｈにより、背面パネル１１から植立された支持体１２ｅ〜１２ｈに取り付けられる。平面波スピーカユニット２１ａ及び２１ｂの背面には、吸音材１７（図３参照）が封入される。平面波スピーカユニット２１ａ及び２１ｂの前面に、クッション材１６が取り付けられる。クッション材１６は、例えばウレタンフォームをサランネットでカバーしたものである。
【００２６】
図３（Ａ）は、椅子用スピーカ装置１のＡ−Ａ端面図を示し、図３（Ｂ）は、椅子用スピーカ装置１のＢ−Ｂ端面図を示すものである。
【００２７】
図３（Ａ）に示すように、平面波スピーカユニット２１ａ及び２１ｂは、使用者の耳の位置に対応するように離間され、内方に向かって角度を付けて配置されて、支持体１２ａ〜１２ｄ及び支持材１２ｅ〜１２ｈにより、エンクロジャー１０の背面パネル１１に固定される。また、左右の平面波スピーカユニット２１ａと２１ｂとの間には、遮蔽板１３が配置される。
【００２８】
平面波スピーカユニット２１ａ及び２１ｂの背面と、エンクロジャー１０の背面パネル１１との間には、ポリエステル綿等の吸音材１７が封入される。また、平面波スピーカユニット２１ａ及び２１ｂの前面には、クッション材１６が配置される。クッション材１６は、使用者の頭部とスピーカとの接触の不具合がないようにするために設けられる。
【００２９】
図４及び図５は、本考案の実施形態の椅子用スピーカ装置１の使用方法を示すものである。図４に示すように、本考案の実施形態の椅子用スピーカ装置１は、椅子３１の背もたれのヘッドレストに取り付けられる。椅子用スピーカ装置１からは、ケーブル３２が導出される。このケーブル３２は、図５に示すように、テレビやステレオ等の音響機器３３の音声出力端子に接続される。音響機器３３からの音声信号は、ケーブル３２を介して椅子用スピーカ装置１に送られ、椅子用スピーカ装置１内の平面波スピーカユニット２１ａ及び２１ｂに供給され、平面波スピーカユニット２１ａ及び２１ｂから音が発生される。
【００３０】
なお、本考案の実施形態の椅子用スピーカ装置１を、老人や聴覚に障害のある人のために使用する場合には、音響機器３３からの音声信号の代わりに、マイクロホンで周囲の音声を取得し、この周囲の音声をアンプで増幅し、本考案の実施形態の椅子用スピーカ装置１に供給するようにしても良い。
【００３１】
平面波スピーカユニット２１ａ及び２１ｂは平面波を発生し、平面波は、高音質で、狭指向性、音の直進性があるため、小音量であっても、明瞭な音響信号を聞き取ることができる。
【００３２】
平面波スピーカユニット２１ａ及び２１ｂからの音は狭指向性であるが、本考案の椅子用スピーカ装置１では、図３（Ａ）に示したように、平面波スピーカユニット２１ａ及び２１ｂは、椅子に座った人の耳の方向を向くような角度に配置されている。このため、平面波スピーカユニット２１ａ及び２１ｂからの音は主に使用者の両耳に届き、外部に音が漏れるのを防ぐことができる。
【００３３】
また、本考案の実施形態の椅子用スピーカ装置１では、図３（Ａ）に示したように、左右の平面波スピーカユニット２１ａ及び２１ｂとの間には、遮蔽板１３が設けられている。このため、左右の音が独立した自然なステレオ音となる。
【００３４】
ところで、通常、平面波スピーカユニットをエンクロジャーに収納すると、平面波スピーカユニットの背面から発生した音がエンクロジャー内の壁面に反射して、再びスピーカの背面に戻り、その反射波により、音の劣化が生じる。
【００３５】
これに対して、本考案の実施形態の椅子用スピーカ装置１では、図３（Ａ）に示したように、エンクロジャー１０の背面パネル１１が円弧状となっている。これにより、反射波の影響を軽減することができる。
【００３６】
つまり、エンクロジャー内の背面とスピーカユニットの振動板とが平行であると、スピーカユニットの背面からの音波が同じ経路を辿って繰り返して反射し、反射波の影響が大きくなる。エンクロジャー１０の背面パネル１１が円弧状とし、エンクロジャー内に平行面を作らないようにすれば、反射波が分散され、反射波による音の劣化を防ぐことができる。
【００３７】
それに加えて、本考案が適用された椅子用スピーカ装置１では、図３（Ａ）及び図３（Ｂ）に示したように、平面波スピーカユニット２１ａ及び２１ｂとエンクロジャー１０の背面パネル１１との間には、ポリエステル綿等の吸音材１７が封入されている。吸音材１７を封入することで、反射波の影響を軽減することができる。
【００３８】
また、通常、椅子用スピーカ装置では、エンクロジャーの空気層の容量を十分に確保できないため、低域特性が劣化する。
【００３９】
これに対して、本考案の実施形態の椅子用スピーカ装置１では、図２に示したように、バッフル板を用いずに、支持体１２ａから１２ｄ及び１２ｅ〜１２ｈを使って、平面波スピーカユニット２１ａ及び２１ｂをエンクロジャー１０に取り付けるようにしている。このため、エンクロジャーの空気層の容量が確保され、低域特性の向上が図れる。
【００４０】
つまり、周知のように、スピーカユニットを密閉型エンクロジャーに収納すると、エンクロジャーの中の空気が密封されるため、スティフネス（空気のバネの力）により、振動板が動きにくくなる。これにより、スピーカユニットのもつ最低共振周波数の値は上昇する。
【００４１】
エンクロジャーのスティフネスは、ほぼ、エンクロジャーの容量に反比例する。よって、エンクロジャーの容量が小さいと、スティフネスが上がり、低域特性が悪化することになる。
【００４２】
本考案の実施形態の椅子用スピーカ装置１では、バッフル板を用いずに、平面波スピーカユニット２１ａ及び２１ｂ支持体１２ａ〜１２ｅ及び１２ｆ〜１２ｈにより取り付けるようにしている。このため、平面波スピーカユニット２１ａ及び２１ｂの側面に空間が生じる。この平面波スピーカユニット２１ａ及び２１ｂの側面に生じた空間により、エンクロジャー１０内の空気層の容量が増大する。これにより、エンクロジャー１０の外形を大きくすることなく、スティフネスを下げて、豊かな低音を再生することができる。
【００４３】
本考案は、上述した実施形態に限定されるものではなく、本考案の要旨を逸脱しない範囲内で様々な変形や応用が可能である。
【産業上の利用可能性】
【００４４】
本考案は、椅子のヘッドレストに取り付けて使用する椅子用スピーカ装置に用いることができる。
【図面の簡単な説明】
【００４５】
【図１】本考案の実施形態の椅子用スピーカ装置の平面図及び正面図である。
【図２】本考案の実施形態の椅子用スピーカ装置の分解斜視図である。
【図３】本考案の実施形態の椅子用スピーカ装置の端面図である。
【図４】本考案の実施形態の椅子用スピーカ装置の使用時の説明に用いる正面図及び側面図である。
【図５】本考案の実施形態の椅子用スピーカ装置の使用時の説明に用いる側面図である。
【図６】コーン型スピーカからの音波の特性の説明図である。
【図７】平面波スピーカからの音波の特性の説明図である。
【図８】エンクロジャーの反射波影響の説明図である。
【符号の説明】
【００４６】
１  椅子用スピーカ装置
１０  エンクロジャー
１１  背面パネル
１２ａ〜１２ｈ  支持体
１３  遮蔽板
１４ａ、１４ｂ  椅子取付部
１５ａ〜１５ｈ  ビス
１６  クッション材
１７  吸音材
２１ａ、２１ｂ  平面波スピーカユニット
３１  椅子
３２  ケーブル
３３  音響機器
【図１】
0003115815.tif 000003
【図２】
0003115815.tif 000004
【図３】
0003115815.tif 000005
【図４】
0003115815.tif 000006
【図５】
0003115815.tif 000007
【図６】
0003115815.tif 000008
【図７】
0003115815.tif 000009
【図８】
0003115815.tif 000010